【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
データを記録する複数のクラスタを記録する領域を有する記録層を複数層備えた記録媒体において、
記録するクラスタに付加され、かつ、クラスタの識別とクラスタ内の位置を示す第１のアドレスが記録される領域と、
前記クラスタに同期してデータを記録するトラックにウォブリング重畳されて記録されていて、クラスタの識別とクラスタ内の位置を含む情報を示す第２のアドレスと、
を有し、
前記第１のアドレスは、実データに付加されて記録されるアドレスであって、
前記第２のアドレスは、記録媒体における物理的な記録位置を示すアドレスであり、前記複数の記録層の番号を示す層番号アドレスと、前記複数のクラスタのデータ位置を示すクラスタ番号アドレスと、前記クラスタのクラスタ内をカウントするカウント値と、により構成され、
ディスク情報を含み、かつ、第１の誤り訂正符号が付加されたブロックを複数に分割することにより構成されたデータと、前記第２のアドレスと、でデータ構造が構成され、
前記データ構造に第２の誤り訂正符号が付加されることによってコード列が生成され、
前記コード列が変調されて前記記録媒体に記録されており、
前記第２のアドレスの下位２ビットの規則性の切り替え有無を示し、かつ、前記クラスタ番号アドレスの拡張ビットとして使用され、かつ、記録媒体に記録されない仮想ビットが、前記クラスタ番号アドレスの最上位ビットとして埋め込まれており、
前記下位２ビットの規則性は、インクリメントの繰り返しであるか否かであり、
前記下位２ビット以外のビットは、値、又は、規則性を変えずにそのまま記録されることを特徴とする記録媒体。
【請求項２】
前記請求項１に記載した記録媒体にデータを記録する記録方法であって、
記録された前記第２のアドレスを前記記録媒体から読み込み、
前記第２のアドレスに仮想的に埋め込まれた前記仮想ビットを復元し、
前記復元された仮想ビットに基づき、前記第２のアドレスを検出し、
前記検出した第２のアドレスにより、前記記録媒体にデータを記録することを特徴とする記録方法。
【請求項３】
前記請求項１に記載した記録媒体にデータを記録する記録装置であって、
記録された前記第２のアドレスを前記記録媒体から読み込むピックアップと、
前記第２のアドレスに仮想的に埋め込まれた前記仮想ビットを復元し、前記復元された仮想ビットに基づき、前記第２のアドレスを検出するアドレス再生回路と、
前記検出した第２のアドレスにより、前記記録媒体にデータを記録するデータ記録回路と、
を有することを特徴とする記録装置。
【請求項４】
前記請求項１に記載した記録媒体からデータを再生する再生方法であって、
記録された前記第２のアドレスを前記記録媒体から読み込み、
前記第２のアドレスに仮想的に埋め込まれた前記仮想ビットを復元し、
前記復元された仮想ビットに基づき、前記第２のアドレスを検出し、
前記検出した第２のアドレスにより、前記記録媒体からデータを再生する
ことを特徴とする再生方法。
【請求項５】
前記請求項１に記載した記録媒体からデータを再生する再生装置であって、
記録された前記第２のアドレスを前記記録媒体から読み込むピックアップと、
前記第２のアドレスに仮想的に埋め込まれた前記仮想ビットを復元し、前記復元された仮想ビットに基づき、前記第２のアドレスを検出するアドレス再生回路と、
前記検出した第２のアドレスにより、前記記録媒体からデータを再生するデータ再生回路と、
を有することを特徴とする再生装置。
【請求項６】
データを記録する複数のクラスタを記録する領域を有する記録層を複数層備えた記録媒体におけるアドレスの記録方法であって、
記録するクラスタに付加され、かつ、クラスタの識別とクラスタ内の位置を示す第１のアドレスを記録する領域を設け、
前記クラスタに同期してデータを記録するトラックにウォブリング重畳してクラスタの識別とクラスタ内の位置を含む情報を示す第２のアドレスを記録し、
前記第１のアドレスは、実データに付加されて記録されるアドレスであって、
前記第２のアドレスは、記録媒体における物理的な記録位置を示すアドレスであり、前記複数の記録層の番号を示す層番号アドレスと、前記複数のクラスタのデータ位置を示すクラスタ番号アドレスと、前記クラスタの物理的な位置を特定するクラスタ内カウント値と、により構成され、
前記第２のアドレスの下位２ビットの規則性の切り替え有無を示し、かつ、前記クラスタ番号アドレスの拡張ビットとして使用され、かつ、記録媒体に記録されない仮想ビットが、前記クラスタ番号アドレスの最上位ビットとして埋め込まれており、
前記下位２ビットの規則性は、インクリメントの繰り返しであるか否かであり、
前記下位２ビット以外のビットは、値、又は、規則性を変えずにそのまま記録されることを特徴とするアドレスの記録方法。
【請求項７】
データを記録する複数のクラスタを記録する領域を有する記録層を複数層備えた記録媒体において、
記録するクラスタに付加され、かつ、クラスタの識別とクラスタ内の位置を示す第１のアドレスが記録される領域と、
前記クラスタに同期してデータを記録するトラックにウォブリング重畳されて記録されていて、クラスタの識別とクラスタ内の位置を含む情報を示す第２のアドレスと、
を有し、
前記第１のアドレスは、実データに付加されて記録されるアドレスであって、
前記第２のアドレスは、記録媒体における物理的な記録位置を示すアドレスであり、前記複数の記録層の番号を示す層番号アドレスと、前記複数のクラスタのデータ位置を示すクラスタ番号アドレスと、前記クラスタの物理的な位置を特定するクラスタ内カウント値と、により構成され、
ディスク情報を含み、かつ、第１の誤り訂正符号が付加されたブロックを複数に分割することにより構成されたデータと、前記第２のアドレスと、でデータ構造が構成され、
前記データ構造に第２の誤り訂正符号が付加されることによってコード列が生成され、
前記コード列が変調されて前記記録媒体に記録されており、
前記クラスタ番号アドレスと前記クラスタ内カウント値からなるビット列の少なくとも一部のビットを記録媒体に記録されない仮想ビットとし、該仮想ビットを復元するために前記第２のアドレスの下位２ビットの規則性がインクリメントの繰り返しであるか否かになるよう構成され、該仮想ビット以外のビットは、値、又は規則性を変えずにそのまま記録されることを特徴とする記録媒体。
【請求項８】
前記請求項７に記載した記録媒体にデータを記録する記録方法であって、
記録された前記第２のアドレスを前記記録媒体から読み込み、
前記第２のアドレスに仮想的に埋め込まれた前記仮想ビットを復元し、
前記復元された仮想ビットに基づき、前記第２のアドレスを検出し、
前記検出した第２のアドレスにより、前記記録媒体にデータを記録することを特徴とする記録方法。
【請求項９】
前記請求項７に記載した記録媒体にデータを記録する記録装置であって、
記録された前記第２のアドレスを前記記録媒体から読み込むピックアップと、
前記第２のアドレスに仮想的に埋め込まれた前記仮想ビットを復元し、前記復元された仮想ビットに基づき、前記第２のアドレスを検出するアドレス再生回路と、
前記検出した第２のアドレスにより、前記記録媒体にデータを記録するデータ記録回路と、
を有することを特徴とする記録装置。
【請求項１０】
前記請求項７に記載した記録媒体からデータを再生する再生方法であって、
記録された前記第２のアドレスを前記記録媒体から読み込み、
前記第２のアドレスに仮想的に埋め込まれた前記仮想ビットを復元し、
前記復元された仮想ビットに基づき、前記第２のアドレスを検出し、
前記検出した第２のアドレスにより、前記記録媒体からデータを再生することを特徴とする再生方法。
【請求項１１】
前記請求項７に記載した記録媒体からデータを再生する再生装置であって、
記録された前記第２のアドレスを前記記録媒体から読み込むピックアップと、
前記第２のアドレスに仮想的に埋め込まれた前記仮想ビットを復元し、前記復元された仮想ビットに基づき、前記第２のアドレスを検出するアドレス再生回路と、
前記検出した第２のアドレスにより、前記記録媒体からデータを再生するデータ再生回路と、
を有することを特徴とする再生装置。
【請求項１２】
データを記録する複数のクラスタを記録する領域を有する記録層を複数層備えた記録媒体におけるアドレスの記録方法であって、
記録するクラスタに付加され、かつ、クラスタの識別とクラスタ内の位置を示す第１のアドレスを記録する領域を設け、
前記クラスタに同期してデータを記録するトラックにウォブリング重畳してクラスタの識別とクラスタ内の位置を含む情報を示す第２のアドレスを記録し、
前記第１のアドレスは、実データに付加されて記録されるアドレスであって、
前記第２のアドレスは、記録媒体における物理的な記録位置を示すアドレスであり、前記複数の記録層の番号を示す層番号アドレスと、前記複数のクラスタのデータ位置を示すクラスタ番号アドレスと、前記クラスタの物理的な位置を特定するクラスタ内カウント値と、により構成され、
前記クラスタ番号アドレスと前記クラスタ内カウント値からなるビット列の少なくとも一部のビットを記録媒体に記録されない仮想ビットとし、該仮想ビットを復元するために前記第２のアドレスの下位２ビットの規則性がインクリメントの繰り返しであるか否かになるよう構成され、該仮想ビット及び前記下位２ビット以外のビットは、値、又は規則性を変えずにそのまま記録されることを特徴とするアドレスの記録方法。